(57)【要約】【課題】リアルタイム性や位置依存性の高いコンテンツを簡単にアップロードし、かつ検索できるようにした携帯無線端末およびサーバ装置を提供する。【解決手段】ひな型記憶手段１０２には、コンテンツのひな型が記憶されている。撮影手段１０３は、静止画や動画を撮影する。コンテンツ作成手段１０１は、前記ひな型記憶手段１０２から所望のひな型を読み出し、これに静止画や動画、さらにはテキストデータを貼り付けてコンテンツを作成する。現在位置検知手段１０４は自端末の現在位置を検知し、その位置情報を出力する。位置情報登録手段１０５は、作成したコンテンツに現在位置の位置情報を登録して両者を対応付ける。アップロード手段１０６は、前記相互に対応付けられたコンテンツおよび現在位置情報をインターネット上のサーバ５へアップロードする。【選択図】        図２
2005070863.tif 000002
【特許請求の範囲】
【請求項１】
入力操作部、表示部およびインターネットへ無線で接続するインターネット接続部を具備した携帯無線端末において、
現在位置を検知し、その位置情報を出力する現在位置検知手段と、
コンテンツを作成するコンテンツ作成手段と、
前記作成したコンテンツと前記検知された現在位置の位置情報とを対応付ける位置情報登録手段と、
前記相互に対応付けられたコンテンツおよび現在位置情報をインターネット上のサーバへアップロードするアップロード手段とを含むことを特徴とする携帯無線端末。
【請求項２】
検索条件の入力画面を前記表示部に表示させる検索条件入力手段と、
前記入力画面から入力された検索条件と前記検知された現在位置の位置情報とを対応付ける位置情報登録手段と、
前記相互に対応付けられた検索条件および現在位置の位置情報を含む検索要求をインターネット上のサーバへ送信する検索要求手段と、
前記検索要求に応答して返信される検索結果を受信する検索結果受信手段と、
前記受信された検索結果を前記表示部に一覧表示する一覧表示手段と、
前記一覧表示上で指定されたコンテンツを選択的に表示するコンテンツ閲覧手段とをさらに含むことを特徴とする請求項１に記載の携帯無線端末。
【請求項３】
デジタル映像を撮影する撮影手段をさらに含み、
前記コンテンツ作成手段は、前記撮影手段で撮影されたデジタル映像を含むコンテンツを作成することを特徴とする請求項１または２に記載の携帯無線端末。
【請求項４】
前記位置情報登録手段は、現在位置の位置情報をメタ情報として前記コンテンツに登録することを特徴とする請求項１ないし３のいずれかに記載の携帯無線端末。
【請求項５】
コンテンツのひな型を記憶したひな型記憶手段を含むことを特徴とする請求項１ないし４のいずれかに記載の携帯無線端末。
【請求項６】
入力操作部、表示部およびインターネットへ無線で接続するインターネット接続部を具備した携帯無線端末において、
現在位置を検知し、その位置情報を出力する現在位置検知手段と、
検索条件の入力画面を前記表示部に表示させる検索条件入力手段と、
前記入力画面から入力された検索条件と前記検知された現在位置の位置情報とを対応付ける位置情報登録手段と、
前記相互に対応付けられた検索条件および現在位置の位置情報を含む検索要求をインターネット上のサーバへ送信する検索要求手段と、
前記検索要求に応答して返信される検索結果を受信する検索結果受信手段と、
前記受信された検索結果を前記表示部に一覧表示する一覧表示手段と、
前記一覧表示上で指定されたコンテンツを選択的に表示するコンテンツ閲覧手段とをさらに含むことを特徴とする携帯無線端末。
【請求項７】
前記検索条件入力手段は、検索キーの入力ウインドウ、および現在位置を基準にした地理的な検索範囲の入力ウインドウを表示し、
前記位置情報登録手段は、入力された検索キーおよび地理的な検索範囲を、前記検知された現在位置の位置情報と対応付けることを特徴とする請求項２または６に記載の携帯無線端末。
【請求項８】
インターネット上に接続されるサーバ装置において、
所定位置の位置情報と対応付けられたコンテンツを受信するコンテンツ受信手段と、
前記受信したコンテンツを前記位置情報と対応付けて記憶するデータベースと、
検索条件および現在位置の位置情報を含む検索要求を受信する検索要求受信手段と、
前記所定位置が前記検索要求に含まれる現在位置から所定の範囲内であって、かつ前記検索条件に合致するコンテンツを、前記データベースから検索する検索手段と、
前記検索結果を前記検索要求元へ返信する検索結果返信手段とを含むことを特徴とするサーバ装置。
【請求項９】
前記検索条件が検索キーおよび地理的な検索範囲を含み、
前記検索手段は、前記所定位置が前記検索要求に含まれる現在位置から前記検索範囲内であって、かつ前記検索キーに合致するコンテンツを、前記データベースから検索することを特徴とする請求項８に記載のサーバ装置。
【発明の詳細な説明】
【０００１】
【発明の属する技術分野】
本発明は、携帯無線端末およびサーバ装置に係り、特に、位置情報を取得する機能を備えた携帯無線端末、および位置情報を含む検索要求に応答してコンテンツを検索し、提供する機能を備えたサーバ装置に関する。
【０００２】
【従来の技術】
携帯電話の普及ならびに技術的進歩に伴って各種の付加的機能が要求され、本来の通話機能のみならず、デジタルカメラ機能やホームページを閲覧するＷｅｂブラウザ機能、さらにはＧＰＳ電波を受信して現在位置を検知し、これを地図情報に重畳してナビゲーション機能を実現する機能を備えた携帯電話が普及している。このような多機能化は携帯電話に限らず、従来はスケジュール帳やアドレス帳としての機能が主であったＰＤＡにも、通信機能やデジタルカメラ機能が付与され、様々な分野で利用されている。
【０００３】
【発明が解決しようとする課題】
従来、ホームページなどのコンテンツをＷｅｂサーバにアップロードする手段はパーソナルコンピュータが主であった。したがって、コンテンツを更新あるいは新規に公開するためには、自宅や勤務先などの屋内に配置されているコンピュータを操作しなければならず、出先においてコンテンツを生成し、これを直ぐにアップロードすることはできなかった。なお、ノート型パソコンを携帯し、これをホットスポット（登録商標）内で利用すれば、リアルタイムでのコンテンツ作成およびそのアップロードが可能になる。
【０００４】
しかしながら、ノート型パソコンの普及率は携帯電話（ＰＨＳを含む）などの無線端末に較べれば低く、また携帯性が考慮されているとはいっても常時携帯するには依然として重く、かつ大き過ぎる。また、ホットスポットの普及も不十分であるために、リアルタイム性の要求されるコンテンツを簡単にアップロードするには不向きであった。
【０００５】
前記リアルタイム性とは別に、インターネット上で公開されるコンテンツには、その閲覧価値が閲覧者の現在位置に大きく依存する位置依存性の高いものがある。お弁当の移動販売を例にとれば、移動販売者がメニューの内容や販売地点などの情報を含むコンテンツを公開していれば、お弁当を購入しようとする客がインターネット上で検索エンジンを利用して所望の移動販売を見つけることができる。しかしながら、現在の検索エンジンでは、利用者の現在位置にかかわらず、入力された検索キーのみに基づいてコンテンツが検索されるので、現在位置から遠く離れた地点の店に関するコンテンツまで抽出されてしまう。
【０００６】
また、各コンテンツにお弁当の販売地点が登録されていたとしても、検索範囲を購買可能範囲に絞り込むためには、検索しようとする客が自身の現在位置から出向ける範囲を予測し、その全ての住所を検索キーとして入力しなければならないので、購買可能な店のみを効率良く検索することができなかった。
【０００７】
なお、位置情報を考慮した検索技術として、例えば特開２００３−１４１１４０号公報には、サーバにコンテンツを登録する際、このコンテンツと関連する場所の情報を併せて登録し、その後、携帯電話からコンテンツの配信要求を受けると、この携帯電話の現在位置を検知し、この現在位置と予め対応付けられたコンテンツを抽出して携帯電話へ配信する技術が開示されている。
【０００８】
しかしながら、上記した従来技術では、携帯電話の現在位置情報を含むコンテンツを当該携帯電話からサーバへアップロードすることができないので、コンテンツの内容やコンテンツの提供者が制約されてしまう。
【０００９】
本発明の目的は、上記した従来技術の課題を解決し、リアルタイム性や位置依存性の高いコンテンツを簡単にアップロードし、かつ検索できるようにした携帯無線端末およびサーバ装置を提供することにある。
【００１０】
【課題を解決するための手段】
上記した目的を達成するために、本発明は、入力操作部、表示部およびインターネットへ無線で接続するインターネット接続部を具備した携帯無線端末において、以下のような手段を講じた点に特徴がある。
【００１１】
（１）現在位置を検知し、その位置情報を出力する現在位置検知手段と、コンテンツを作成するコンテンツ作成手段と、前記作成したコンテンツを前記検知された現在位置の位置情報と対応付けてインターネット上のサーバへアップロードするアップロード手段とを含むことを特徴とする。
【００１２】
（２）現在位置を検知し、その位置情報を出力する現在位置検知手段と、検索条件の入力画面を表示させる検索条件入力手段と、前記入力画面から入力された検索条件を前記検知された現在位置の位置情報と対応付ける位置情報登録手段と、前記対応付けられた検索条件および現在位置の位置情報を含む検索要求をインターネット上のサーバへ送信する検索要求手段と、前記検索要求に応答して返信される検索結果を受信して一覧表示する手段と、前記一覧表示上で指定されたコンテンツを選択的に表示するコンテンツ閲覧手段とを含むことを特徴とする。
【００１３】
また、本発明は、インターネット上に接続されるサーバ装置において、以下のような手段を講じた点に特徴がある。
【００１４】
（３）所定位置の位置情報と対応付けられたコンテンツを受信してデータベースに登録するコンテンツ登録手段と、検索条件および現在位置の位置情報を含む検索要求を受信する検索要求受信手段と、前記所定位置が前記検索要求に含まれる現在位置から所定の範囲内であって、かつ前記検索条件に合致するコンテンツを、前記データベースから検索する検索手段と、前記検索結果を前記検索要求元へ返信する検索結果返信手段とを含むことを特徴とする。
【００１５】
上記（１）の特徴によれば、携帯無線端末からインターネット上のサーバへアップロードするコンテンツに、当該携帯無線端末の現在位置に関する位置情報を簡単に登録できるようになる。
【００１６】
上記（２）の特徴によれば、携帯無線端末からコンテンツを検索する際に、検索条件と共に現在位置の位置情報がインターネット上のサーバへ送信されるので、サーバでは、携帯無線端末の現在位置を考慮したコンテンツ検索が可能になる。
【００１７】
上記（３）の特徴によれば、コンテンツと対応付けられた位置が検索要求に含まれる現在位置から所定の範囲内であって、かつ検索条件に合致するコンテンツを、検索して検索要求元へ返信できるようになる。
【００１８】
【発明の実施の形態】
以下、図面を参照して本発明の好ましい実施の形態について詳細に説明する。図１は、本発明が適用されるネットワークの構成を示した図であり、本発明の説明に必要な構成のみを示し、他の構成は図示を省略している。
【００１９】
携帯無線端末１は、無線基地局２および携帯網３を経由して他の携帯無線端末１と通話あるいは通信できる。携帯無線端末１はさらに、無線基地局２および携帯網３を経由してインターネット４にアクセスし、Ｗｅｂサーバ５のデータベース（ＢＤ）６に記憶されているコンテンツを閲覧し、かつ携帯無線端末１上で生成したコンテンツを前記データベース６にアップロードすることができる。前記Ｗｅｂサーバ５へのアクセスは、携帯網３に収容された携帯無線端末１のみならず、インターネット４に接続されたパーソナルコンピュータ７等からも可能である。
【００２０】
図２は、本発明に係る携帯無線端末１およびＷｅｂサーバ５の主要部の構成を示した機能ブロック図であり、携帯無線端末１は、コンテンツ作成端末としての機能、および／またはコンテンツ閲覧端末としての機能を備えている。
【００２１】
コンテンツ作成端末としての携帯無線端末１（Ａ）において、ひな型記憶手段１０２には、コンテンツのひな型が記憶されている。撮影手段１０３は、静止画や動画を撮影し、これをコンテンツ素材として記憶する。コンテンツ作成手段１０１は、前記ひな型記憶手段１０２から所望のひな型を読み出し、これに前記静止画や動画、さらにはテキストデータを貼り付けてコンテンツを作成する。現在位置検知手段１０４は自端末の現在位置を検知し、その位置情報を出力する。位置情報登録手段１０５は、作成したコンテンツに前記検知された現在位置の位置情報を登録して両者を対応付ける。アップロード手段１０６は、前記相互に対応付けられたコンテンツおよび現在位置情報をインターネット上のサーバ５へアップロードする。携帯無線端末１（Ａ）はさらに、破線で示したコンテンツ閲覧端末としての機能ブロック１０７〜１１２を備えることもできる。
【００２２】
コンテンツ閲覧端末としての携帯無線端末１（Ｂ）において、検索条件入力手段１０７は、検索条件の入力画面を表示する。位置情報登録手段１０８は、入力画面からユーザにより入力された検索条件に前記現在位置検知手段１０４で検知された現在位置の位置情報を登録して両者を対応付ける。検索要求手段１０９は、前記相互に対応付けられた検索条件および現在位置情報を含む検索要求をインターネット上のサーバ５へ送信する。検索結果受信手段１１０は、前記検索要求に応答して前記サーバ５から返信される検索結果を受信する。一覧表示手段１１１は、受信された検索結果を一覧表示する。コンテンツ閲覧手段１１２は、一覧表示上でユーザにより指定されたコンテンツを選択的に表示する。携帯無線端末１（Ｂ）はさらに、破線で示したコンテンツ作成端末としての機能ブロック１０１〜１０６を備えることもできる。
【００２３】
Ｗｅｂサーバ５において、コンテンツ受信手段５０１は、前記コンテンツ作成端末としての携帯無線端末１（Ａ）から送信されるコンテンツを受信する。コンテンツ登録手段５０４は、前記受信されたコンテンツをデータベース６に登録する。検索要求受信手段５０３は、前記コンテンツ閲覧端末としての携帯無線端末１（Ｂ）から送信される検索要求を受信する。検索手段５０５は、前記受信された検索要求に応答して前記データベース６を検索し、検索結果を検索結果返信手段５０２へ提供する。検索結果返信手段５０２は、前記検索結果を携帯無線端末１（Ｂ）宛に返信する。
【００２４】
次いで、お弁当を移動しながら販売する移動販売者が、その日のメニューを携帯無線端末１で作成し、これをコンテンツとしてＷｅｂサーバ５にアップロードする場合を例にして本発明を説明する。ここでは、携帯無線端末１が携帯電話であるものとして説明する。
【００２５】
図１８は、本発明が適用される携帯電話の主要部の構成を示したブロック図である。マイク１１は、音声を検知して音声信号に変換する。マイク制御部１２は、音声信号をデジタル信号に変換して主制御部１７へ出力する。スピーカ制御部１４は、主制御部１７から提供される音声データをアナログの音声信号に変換し、これを増幅してスピーカ１３へ出力する。
【００２６】
操作部１５はテンキーやカーソルキーを含む複数の操作スイッチを含む。入力操作検知部１６は、前記操作部１５の操作内容を検知して主制御部１７へ出力する。ＲＯＭ１８には、前記主制御部１７で実行される制御プログラムや各種の制御パラメータが格納されている。ＲＡＭ１９は、前記主制御部１７に対してワークエリアを提供する。液晶ディスプレイ（ＬＣＤ）２０は表示制御部２１を介してバス１０に接続されている。携帯電話制御部２２は、相手端末への発信および相手端末からの着信を制御する。携帯電話通信部２３は、携帯電話基地局２と無線通信して通話セッションを確立する。
【００２７】
ＧＰＳ受信部２４は、複数のＧＰＳ衛星から送信される電波を受信する。ＧＰＳ制御部２５は、受信されたＧＰＳ電波を復号化し、複数のＧＰＳ信号に基づいて現在位置を演算する。カメラ２７は、カメラ制御部２６を介して前記バス１０に接続されている。インターネット接続部２９は、インターネット制御部２８を介して前記バス１０に接続されている。
【００２８】
前記操作部１５、入力操作検知部１６およびディスプレイ２０は、前記主制御部１７と共に、前記図２に関して説明したコンテンツ作成手段１０１、検索条件入力手段１０７、一覧表示手段１１１およびコンテンツ閲覧手段１１２を実現できる。同様に、前記ＲＯＭ１８は前記ひな型記憶手段１０２を実現できる。前記カメラ２７およびカメラ制御部２６は、前記主制御部１７と共に前記撮影手段１０３を実現できる。前記ＧＰＳ受信部２４およびＧＰＳ制御部２５は、前記主制御部１７と共に前記現在位置検知手段１０４を実現できる。前記主制御部１７は、前記位置情報登録手段１０５，１０８を実現できる。前記インターネット接続部２９およびインターネット制御部２８は、前記主制御部１７と共に前記アップロード手段１０６，検索要求手段１０９および検索結果受信手段１１０を実現できる。
【００２９】
次いで、図３のフローチャートを参照して本実施形態の動作を詳細に説明する。ステップＳ１では、メニューに掲載する１ないし複数のお弁当がカメラ２７で撮影される。各画像データはコンテンツ素材として、それぞれ所定のファイル名（例えば、ｐｈｏｔｏ１，ｐｈｏｔｐ２，ｐｈｏｔｐ３…）でＲＡＭ１９に一時記憶される。ステップＳ２では、所定のキー操作に応答して、図４に示したように、ディスプレイ２０にサービス機能が一覧表示される。コンテンツを新たに作成するのであれば、「４．コンテンツ作成画面」がユーザにより選択される。ステップＳ３では、コンテンツを作成するためのコンテンツエディタが起動され、その操作画面がディスプレイ２０に表示される。
【００３０】
図５は、前記コンテンツエディタの操作画面の一例を示した図であり、エディタ画面の下方には「ハイパーリンク挿入ボタン」、「フレーム挿入ボタン」、「テキスト挿入ボタン」、「フォーム挿入ボタン」、「チェックボックス挿入ボタン」、「ラジオボタン挿入ボタン」、「テキスト入力欄挿入ボタン」、「素材挿入ボタン」、「テキスト挿入ボタン」等が表示されている。コンテンツの作成であれば「機能」ボタンがユーザにより操作され、図３のステップＳ４へ進んでコンテンツが作成される。
【００３１】
さらに具体的に説明すれば、ステップＳ４１では、前記「機能」ボタンの操作に応答して、図６に示した機能一覧がディスプレイ２０に表示される。本実施形態では、コンテンツを新規に作成する機能「１．新規作成」と、作成済みのコンテンツを読み出す機能「２．読み出し」と、作成したコンテンツを保存する機能「３．保存」と、コンテンツの名前を入力する機能「４．コンテンツ名を入力」と、一般的なコンテンツのひな型（テンプレート）を読み出す機能「５．テンプレートの読み出し」と、作成したコンテンツをＷｅｂサーバへアップロードする機能「６．コンテンツのアップロード」とが用意されている。
【００３２】
ここで、ひな型を活用してコンテンツを作成するのであれば「５．テンプレートの読み出し」が選択され、ひな型とは無関係に自由に作成するのであれば「１．新規作成」が選択され、その後、ステップＳ４２へ進む。ステップＳ４２では、図７に示した素材選択画面が表示される。ここで、コンテンツ素材の一つ（例えば、ｐｈｏｔｏ３）が選択され、さらに「素材挿入ボタン」が操作されるとステップＳ４３へ進む。
【００３３】
ステップＳ４３では、図８に示したように、前記選択されたコンテンツ素材がエディタ画面上に貼り付けられ、携帯電話１のカーソルキーの操作に応答して貼り付け位置が調節される。「この位置でよろしいですか？」の問い合わせメッセージに応答して「はい」ボタンが操作されると、前記コンテンツ素材が前記貼り付け位置に貼り付けられる。
【００３４】
ステップＳ４４では、図９に示したテキスト挿入画面が表示される。ここで、携帯電話１のテンキーが操作されてテキストが入力され、最後に「テキスト挿入」ボタンが操作されると、前記テキストが挿入される。本実施形態のようにお弁当のメニューであれば、お弁当の名前と共に、価格、使用素材、カロリーなどがテキストとして入力される。ステップＳ４５では、前記図６の機能一覧画面が再び表示され、ここで「４．コンテンツ名を入力」が選択されると、図１０に示したコンテンツ名入力画面が表れる。ここでコンテンツ名「ランチ屋Ａ」が入力されると、前記コンテンツが前記コンテンツ名と対応付けられる。
【００３５】
次いで、「機能」ボタンが操作されると、前記図６の機能一覧がディスプレイ２０に表示される。ここで「６．コンテンツのアップロード」が選択されると、図１１に示したアップロード画面が表示され、そのエディタ画面には、前記生成されたコンテンツが表示される。ここで、「このコンテンツをアップロードしますか？」の問い合わせメッセージに応答して「はい」ボタンが操作されるとステップＳ５へ進む。
【００３６】
ステップＳ５では、ＧＰＳ信号に基づいて算出された現在位置Ｐが読み出される。ステップＳ６では、前記現在位置Ｐの位置情報が前記コンテンツに登録されて両者が対応付けられる。両者の対応付けは、例えば現在位置の位置情報をメタ情報としてコンテンツに登録することにより行うことができる。ステップＳ７では、前記位置情報を含むコンテンツがＷｅｂサーバ５宛に送信されて、そのデータベース６にアップロードされる。ステップＳ８では、図１２に示したコンテンツ保存画面がディスプレイ２０に表示される。ここで、「このコンテンツを保存しますか？」の問い合わせメッセージに応答して「はい」ボタンが操作されると、当該コンテンツが前記ＲＡＭ１９に記憶される。
【００３７】
図１３は、前記位置情報付きコンテンツを受信したＷｅｂサーバ５の動作を示したフローチャートであり、ステップＳ４１において前記コンテンツが受信されると、ステップＳ４２において、このコンテンツがデータベース６に登録される。
【００３８】
次いで、図１４のフローチャートを参照して、前記Ｗｅｂサーバ５にアップロードされているコンテンツを携帯電話１から検索し、検索結果をそのディスプレイ２０に表示させる手順を説明する。
【００３９】
ステップＳ２１では、前記図４のサービス機能一覧画面が表示される。ここで、「３．位置情報付検索」が指定されると、ステップＳ２２では、図１５に示したコンテンツ検索画面がディスプレイ２０上に表示される。この検索画面には、検索キー（テキスト）を入力する検索キーウインドウと、検索対象の地理的範囲を指定する検索範囲ウインドウとが表示される。ステップＳ２３では、前記検索キーウインドウに検索キーが入力され、前記検索範囲ウインドウにおいて検索範囲が入力される。図１５に示した例では、検索キーとして「ランチ」が入力され、検索範囲として「１ｋｍ」が指定されている。ステップＳ２４において「検索開始ボタン」が操作されると、前記検索キー「ランチ」および検索範囲「１ｋｍ」が、自身の原在位位置情報Ｐｘと共に前記Ｗｅｂサーバ５へ送信される。
【００４０】
前記Ｗｅｂサーバ５では、図１３のステップＳ４３において前記検索要求が受信されると、ステップＳ４４では、この検索要求に登録されている検索キー「ランチ」、検索範囲「１ｋｍ以内」および現在位置情報Ｐｘが抽出される。ステップＳ４５ではデータベース６が参照され、前記検索キー「ランチ」を含み、かつ既登録の位置情報Ｐが前記抽出された現在位置情報Ｐｘを基準にして前記検索範囲「１ｋｍ以内」であるコンテンツが全て検索される。ステップＳ４６では、前記検索結果が前記検索要求を送信した端末宛に返信される。
【００４１】
図１４に戻り、前記検索要求を送信した携帯電話１では、ステップＳ２５において前記検索結果を受信すると、ステップＳ２６において、前記検索結果をディスプレイ２０上に一覧表示させる。図１６は、検索結果の一覧表示例を示した図であり、本実施形態では、検索結果に合致した３つのランチ屋Ａ，Ｂ，Ｃの名称が、現在位置からの距離と共に表示されている。さらに、本実施形態では検索された各ランチ屋と自身の現在位置との相対的な位置関係が表示される。ステップＳ２７において、前記検索結果のいずれかがユーザにより指定されると、指定されたコンテンツに関するアクセス要求が前記Ｗｅｂサーバ５へ送信され、当該コンテンツが返信される。ステップＳ２８では、図１７に示したように、前記指定されたコンテンツ（本実施形態では、ライチメニュー）がディスプレイ２０上に表示される。
【００４２】
このように、本発明によれば、コンテンツ提供者は携帯無線端末からＷｅｂサーバへアップロードするコンテンツに自身の現在位置を登録できるので、コンテンツ閲覧者は、コンテンツ提供者の位置情報を検索条件に含ませることができるようになる。したがって、コンテンツ閲覧者が検索条件として自身の現在位置を基準とした検索範囲を検索キーと共に指定することにより、自身の現在位置から所望の範囲内に位置するコンテンツ提供者のコンテンツのみを簡単に検索できるようになる。
【００４３】
なお、上記した実施形態では、お弁当の移動販売を例にして本発明を説明したが、それ以外にも、例えば日払いのアルバイトを募集しようとする求人側が、現地で携帯電話を用いて、職種、勤務時間、日当等に関する情報を含む求人用のコンテンツを作成してアップロードし、求職側は、希望する職種、勤務時間、日当等の条件と、自身の現在位置を基準にした地理的な検索範囲などを検索条件として入力すると、求職側の端末画面に、前記条件に合致した求人案内のみが表示されるようにすることもできる。このようにすれば、求職者は所望の職務内容や待遇であって、かつ勤務地が現在位置から近い求人案内のみを簡単に検索できるようになる。
【００４４】
【発明の効果】
本発明によれば、以下のような効果が達成される。
（１）コンテンツ提供者は、携帯無線端末からＷｅｂサーバへアップロードするコンテンツに自身の現在位置を登録できるので、コンテンツ閲覧者は、コンテンツ提供者の位置情報を検索条件に含ませることができるようになる。したがって、コンテンツ閲覧者が検索条件として自身の現在位置を基準とした検索範囲を検索キーと共に指定することにより、自身の現在位置から所望の範囲内に位置するコンテンツ提供者のコンテンツのみを検索できるようになる。
（２）携帯無線端末に自身の現在位置を検知する手段を搭載したので、サーバへアップロードするコンテンツに自身の現在位置を簡単に登録できるようになる。
【図面の簡単な説明】
【図１】本発明が適用されるネットワークの構成を示した図である。
【図２】本発明の機能ブロック図である。
【図３】本発明の動作を示したフローチャートである。
【図４】サービス機能の一覧表示例を示した図である。
【図５】コンテンツエディタの操作画面の一例を示した図である。
【図６】携帯電話における機能の一覧表示例を示した図である。
【図７】素材選択画面の一例を示した図である。
【図８】コンテンツ素材がエディタ画面上に貼り付けられた状態を示した図である。
【図９】テキスト挿入画面の一例を示した図である。
【図１０】コンテンツ名入力画面の一例を示した図である。
【図１１】アップロード画面の一例を示した図である。
【図１２】コンテンツ保存画面の一例を示した図である。
【図１３】コンテンツを受信したＷｅｂサーバの動作を示したフローチャートである。
【図１４】アップロードされているコンテンツを携帯電話から検索する手順を示したフローチャートである。
【図１５】コンテンツ検索画面の一例を示した図である。
【図１６】検索結果の一覧表示例を示した図である。
【図１７】コンテンツの表示例を示した図である。
【図１８】本発明を適用した携帯電話のブロック図である。
【符号の説明】１０…バス，１７…主制御部，２０…液晶ディスプレイ，２４…ＧＰＳ受信部，２７…カメラ，２９…インターネット接続部
【図１】
2005070863.tif 000003
【図２】
2005070863.tif 000004
【図３】
2005070863.tif 000005
【図４】
2005070863.tif 000006
【図５】
2005070863.tif 000007
【図６】
2005070863.tif 000008
【図７】
2005070863.tif 000009
【図８】
2005070863.tif 000010
【図９】
2005070863.tif 000011
【図１０】
2005070863.tif 000012
【図１１】
2005070863.tif 000013
【図１２】
2005070863.tif 000014
【図１３】
2005070863.tif 000015
【図１４】
2005070863.tif 000016
【図１５】
2005070863.tif 000017
【図１６】
2005070863.tif 000018
【図１７】
2005070863.tif 000019
【図１８】
2005070863.tif 000020